(57)【要約】  【課題】  防鳥用の細線とドロップ光ケーブルとの間の間隔を確実に保持し、しかも、既設の細線とドロップ光ケーブルにわたして確実に組付けることができる、実用上好適な、鳥類防止装置の間隔保持材を提供する。  【解決手段】  電柱間に上下に並べて張架した防鳥用の細線１０とドロップ光ケーブル１１との間に介在させ、両線間１０，１１の間隔を一定に保持して前記ドロップ光ケーブル１１に鳥類が留まるのを阻止するものであって、金属杆を屈曲形成して成り、前記間隔に見合う長さのスペーサ部１の上端に、既設の前記細線を螺旋形のピッチ間隙を利用して内嵌して挿通できる螺旋状係止部２を連設する。また、下端には既設の前記ドロップ光ケーブル１１を螺旋形のピッチ間隙を利用して内嵌して挿通できる螺旋状受支部３を連設する。【選択図】    図２
2012170178.tif 000002
【特許請求の範囲】
【請求項１】
電柱間に上下に並べて張架した防鳥用の細線とドロップ光ケーブル等の被保護線との間に介在させ、両線間の間隔を一定に保持して前記被保護線に鳥類が留まるのを阻止するものであって、金属杆を屈曲形成して成り、前記間隔に見合う長さのスペーサ部の上端に、既設の前記細線の径よりピッチ間隔が広く、しかも、前記細線を内嵌できる内径を備えた螺旋状の係止部を連設すると共に、下端には既設の前記被保護線の径よりピッチ間隔が広く、しかも、前記被保護線を複数本内嵌して挿通できる内径を備えた螺旋状の受支部を連設した、鳥害防止装置の間隔保持材。
【発明の詳細な説明】
【技術分野】
【０００１】
本発明は、電柱間に張架したケーブル（被保護線）と該ケーブルの上方に配置した防鳥用の細線（鳥が留まれない程度の耐候性素材より成る細線、保護線）間に介在させて前記ケーブルと前記細線との間の間隔を一定に保ってケーブルに鳥類が留まるのを防ぐために用いる、鳥害防止装置の間隔保持材に関するものである。
【背景技術】
【０００２】
鳥害防止装置としては、バインド線を巻付けてケーブルを支持した支持線（メッセンジャーワイヤー）に、所定間隔を存して間隔保持材を取付け、該間隔保持材に防鳥用の細線を張架して前記支持線に鳥類が留まるのを防ぐようにした構造のものがある（たとえば、特許文献１）。
【先行技術文献】
【特許文献】
【０００３】
【特許文献１】特開２００５−１７８号公報
【発明の概要】
【発明が解決しようとする課題】
【０００４】
前記鳥害防止装置に用いている間隔保持材は支持線にボルトとナットを用いて締付けるようにしてあり、構造的に組付け作業が煩雑であり、また、支持線のような、耐荷重性のあるもの以外には適用できない構造にもなっている。
【０００５】
本発明は、前記従来例の欠点に着目し、所謂支持線を用いない架線装置の鳥害防止装置にも適用できる間隔保持材を提供することを目的として創案したものである。
【課題を解決するための手段】
【０００６】
電柱間に上下に並べて張架した防鳥用の細線とドロップ光ケーブル等の被保護線との間に介在させ、両線間の間隔を一定に保持して前記被保護線に鳥類が留まるのを阻止するものであって、金属杆を屈曲形成して成り、前記間隔に見合う長さのスペーサ部の上端に、既設の前記細線の径よりピッチ間隔が広く、しかも、前記細線を内嵌できる内径を備えた螺旋状の係止部を連設すると共に、下端には既設の前記被保護線の径よりピッチ間隔が広く、しかも、前記被保護線を複数本内嵌して挿通できる内径を備えた螺旋状の受支部を連設した、構成とする。
【発明の効果】
【０００７】
本発明によれば、係止部と受止部を、その螺旋形のピッチ間隙を利用して防鳥用の細線又は被保護線に組付けてこれら両線間の間隔を確実に保つことができ、また既設の被保護線に対しても不都合なく用いることができるので実用的である。
【図面の簡単な説明】
【０００８】
【図１】使用状態を示す略示正面図。
【図２】図１の一部拡大図。
【図３】図２の側面図。
【実施例】
【０００９】
図面は、本発明に係る鳥害防止装置の間隔保持材の一実施例を示し、図１は使用状態を示す略示正面図、図２は図１の一部拡大図、図３は図２の側面図である。
【００１０】
実施例の鳥害防止装置は、電柱間に防鳥用の細線１０を上側にして該細線１０とドロップ光ケーブル（被保護線）１１とを並べて張架し、該細線１０とドロップ光ケーブル１１との間に所謂間隔を存して間隔保持材Ａを介在させて組付け、該間隔保持材Ａによって細線１０とドロップ光ケーブル１１との間の間隔を保持し（間隔幅４０〜６０ｍｍ程度）、ドロップ光ケーブル１１上の細線１０の存在によりドロップ光ケーブル１１に鳥類が留まるのを防いで、当該ケーブル１１に糞が付着したり、ケーブル１１直下の道路等の糞による汚損を防ぐようにしたものである。従って、細線１０はピアノ線など鳥類が留まることのできない細い耐候性の有る線で構成する。
【００１１】
前記間隔保持材Ａは、金属杆を屈曲して構成したもので、細線１０とドロップ光ケーブル１１との適宜の離開間隔を保つに充分な長さのスペーサ部１の上端を、小円形に略１ピッチ強（一重強）に屈曲して螺旋状の係止部２を連設し、また、下端を前記係止部２の円形より大径の円形状に略２ピッチ（二重）に屈曲して螺旋状の受支部３を連設して構成したものである。
【００１２】
そして、間隔保持材Ａは、係止部２の螺旋形のピッチ間隙ａ´を利用して細線１０を内嵌挿通するようにして該細線１０に組付け、間隔保持部側の受支部３に、該受支部３の螺旋形のピッチ間隙ａを利用するようにしてドロップ光ケーブル１１を組付け、細線１０とドロップ光ケーブル１１との間に介在させてこれらの間にドロップ光ケーブル１１に鳥類が留まることのできない間隔ｎが生じるようにして用いるもので、細線１０乃至ドロップ光ケーブル１１に沿って適宜の間隔を存して、電柱間に適宜数配置するのである。
【００１３】
なお、細線１０に対して係止部２はかし止めするか、適宜の紐体で縛りつける。また、細線１０の張設されていない鳥類の留まりに対して無防備の状態にあるドロップ光ケーブル（電柱間に張架した）に対しては、前記細線１０を電柱間に張設後、前記のようにして該細線１０とドロップ光ケーブルに対して間隙保持材Ａを組付け、配置するやり方もあるが（この場合、バケット車を利用）、適当な長さの細線１０に係止部２において保持材Ａを適宜の間隔を存して組付けておき、一方の電柱側において一端を固定した細線１０に組付けた各保持材をピッチ間隙ａを利用して受支部３において既設のドロップ光ケーブルに組付け、細線１０の他の一端側を前記一方の電柱に対応する他の一方の電柱側に適宜手段を用いて移動させ、該他端を他の一方の電柱側に固定するという作業手順を採る場合もある。
【００１４】
なお、受支部３の、螺旋形の径（内径）を大きくしてあるのは、複数のドロップ光ケーブル１１，…が並行して存する場合に於いても、これら全部を受支部３内に内嵌挿通させて鳥類の留まりを防ぐためである。
【００１５】
なお、実施例はドロップ光ケーブルに対する鳥類の留まり防止のために本発明を適用しているが、ドロップ光ケーブル以外のものを対象として良いことは勿論である。
【００１６】
図示１ａは樹脂製のキャップ体で、キャップ体は、受支部３先端を套装し、該先端の接触による光ケーブル１１の損傷を防ぐ。
【符号の説明】
【００１７】
１      スペーサ部
２      係止部
３      受止部
１０    細線
１１    ドロップ光ケーブル
【図１】
2012170178.tif 000003
【図２】
2012170178.tif 000004
【図３】
2012170178.tif 000005